(57)【要約】【課題】画像ログの所定の部分を不可視として保存することが可能な画像処理装置およびプログラムを提供する。【解決手段】画像処理装置である複合機は、ジョブに供される画像データを保存用のフォーマットに変換して画像ログを得る変換部５４と、画像ログをタッチパネルディスプレイ２２へ表示し、画像ログが表す画像の中で不可視とする領域の設定をユーザから受付ける受付部５５と、画像ログに対し、設定された領域を不可視とする加工を施す加工部５６と、加工された画像ログをサーバ装置に送信するなどして保存する保存部と５７、を含む。【選択図】図３
2008118234.tif 000002
【特許請求の範囲】
【請求項１】
画像データに基づく所定の画像処理を実行する画像処理装置であって、
前記画像処理に供される前記画像データを保存用のフォーマットに変換して画像処理記録を得る変換手段と、
前記画像処理記録が表す画像の中で不可視とする領域の設定をユーザから受付ける受付手段と、
前記画像処理記録に対し、前記設定された領域を不可視とする加工を施す加工手段と、
前記加工された画像処理記録を保存する保存手段と、
を含むことを特徴とする画像処理装置。
【請求項２】
請求項１に記載の画像処理装置であって、
前記受付手段は、前記不可視とする領域が所定以上に設定された場合に、再度の設定をユーザに促す、
ことを特徴とする画像処理装置。
【請求項３】
請求項２に記載の画像処理装置であって、
前記受付手段は、前記再度の設定をユーザから受付けることができなかった場合に、前記画像処理記録を削除し、前記画像処理の実行を中止させる、
ことを特徴とする画像処理装置。
【請求項４】
請求項１ないし３の何れかに記載の画像処理装置であって、
ユーザを認証する認証手段を更に含み、
前記受付手段および前記加工手段は、ユーザが認証されていない場合に、前記不可視とする加工を許可しない、
ことを特徴とする画像処理装置。
【請求項５】
請求項１ないし４の何れかに記載の画像処理装置であって、
当該画像処理装置は、前記不可視とする領域が確定した後に前記画像処理を実行する、
ことを特徴とする画像処理装置。
【請求項６】
画像データに関する所定の画像処理を実行する画像処理装置に含まれるコンピュータを、
前記画像処理に供される前記画像データを保存用のフォーマットに変換して画像処理記録を得る変換手段、
前記画像処理記録が表す画像の中で不可視とする領域の設定をユーザから受付ける受付手段、
前記画像処理記録に対し、前記設定された領域を不可視とする加工を施す加工手段、及び、
前記加工された画像処理記録を保存する保存手段、
として機能させることを特徴とするプログラム。
【発明の詳細な説明】
【技術分野】
【０００１】
本発明は、画像処理装置およびプログラムに関する。
【背景技術】
【０００２】
近年、コピー装置、プリンタ装置、スキャナ装置、ファクシミリ装置、及びこれらを統合した複合機などの分野では、機密情報の漏洩を防ぐために、装置の機能によって処理される画像データから画像処理記録（ログ）を生成し、保存することが可能な装置が増えてきている。特許文献１には、処理される画像データから画像ログを生成し、自身が有する記憶部やネットワーク上のサーバ装置に画像ログを記憶させる複合機等が開示されている。
【０００３】
ところで、上記のような装置では、個人情報が記載された文書がコピー等の処理に供される場合に、文書の画像データから画像ログを生成して保存すると、装置の管理者や装置に不正にアクセスした第三者によって、文書に記載された個人情報を閲覧されてしまう虞がある。そのため、個人情報保護の観点から、文書に含まれる個人情報の部分を第三者に閲覧できないようにすることが求められる。
【特許文献１】特開２００４−２０８０４８号公報
【発明の開示】
【発明が解決しようとする課題】
【０００４】
本発明は、画像ログの所定の部分を不可視として保存することが可能な画像処理装置およびプログラムを提供することをその目的の一つとする。
【課題を解決するための手段】
【０００５】
上記課題を解決するため、本発明の画像処理装置は、画像データに基づく所定の画像処理を実行する画像処理装置であって、前記画像処理に供される前記画像データを保存用のフォーマットに変換して画像処理記録を得る変換手段と、前記画像処理記録が表す画像の中で不可視とする領域の設定をユーザから受付ける受付手段と、前記画像処理記録に対し、前記設定された領域を不可視とする加工を施す加工手段と、前記加工された画像処理記録を保存する保存手段と、を含むことを特徴とする。
【０００６】
また、本発明の画像処理装置において、前記受付手段は、前記不可視とする領域が所定以上に設定された場合に、再度の設定をユーザに促す、ことを特徴とする。
【０００７】
また、本発明の画像処理装置において、前記受付手段は、前記再度の設定をユーザから受付けることができなかった場合に、前記画像処理記録を削除し、前記画像処理の実行を中止させる、ことを特徴とする。
【０００８】
また、本発明の画像処理装置において、ユーザを認証する認証手段を更に含み、前記受付手段および前記加工手段は、ユーザが認証されていない場合に、前記不可視とする加工を許可しない、ことを特徴とする。
【０００９】
また、本発明の画像処理装置において、当該画像処理装置は、前記不可視とする領域が確定した後に前記画像処理を実行する、ことを特徴とする。
【００１０】
次に、本発明のプログラムは、画像データに関する所定の画像処理を実行する画像処理装置に含まれるコンピュータを、前記画像処理に供される前記画像データを保存用のフォーマットに変換して画像処理記録を得る変換手段、前記画像処理記録が表す画像の中で不可視とする領域の設定をユーザから受付ける受付手段、前記画像処理記録に対し、前記設定された領域を不可視とする加工を施す加工手段、及び、前記加工された画像処理記録を保存する保存手段、として機能させることを特徴とする。
【発明の効果】
【００１１】
上記本発明によれば、画像ログの所定の部分を不可視として保存することができる。
【発明を実施するための最良の形態】
【００１２】
本発明の実施形態について、図面を参照しながら説明する。
【００１３】
図１は、画像ログ保存システム１の構成例を表す図である。画像ログ保存システム１では、画像処理装置の一例である複合機２と、サーバ装置３とが通信路で構築されたネットワークに接続されており、互いに通信可能に構成されている。
【００１４】
複合機２は、少なくともプリント、コピー、スキャンやファクシミリなどのうち少なくとも２以上の機能を有しており、これらの機能によって実現可能な画像処理（ジョブ）を実行する本体部２１と、ジョブの命令を入力するためのタッチパネルディスプレイ２２とを備える。複合機２は、ジョブに供される画像データから画像ログを生成すると、この画像ログを含むログをサーバ装置３へ送信する。サーバ装置３は、画像ログを含むログを受信すると、これらを保存する。なお、本実施形態では、画像処理装置として複合機を例に挙げているが、これに限らず、コピー装置、プリンタ装置、スキャナ装置やファクシミリ装置などであっても良い。
【００１５】
ここで、複合機２において実行されるジョブは、プリントジョブ、コピージョブ及びファックスジョブなどのように、取得した画像データを出力する処理である。例えば、プリントジョブであれば、ネットワークに接続された他の機器や、メモリカードなどの可搬性のある記憶媒体などの外部から取得した画像データを、用紙等の媒体に印刷する。また、コピージョブであれば、自身が有するスキャナに原稿を読取らせて取得した画像データを、用紙等の媒体に印刷する。また、ファックスジョブであれば、自身が有するスキャナに原稿を読取らせて取得した画像データを、電話線等を介して外部へ送信する。また、これらに限らず、自身が有するスキャナに原稿を読取らせて取得した画像データを、ネットワークに接続された他の機器へ送信するようなジョブであっても良い。
【００１６】
図２は、複合機２の構成例を表すブロック図である。複合機２は、装置全体の制御を司る制御部４１と、制御部４１からの制御によって、本体部２１にプリントジョブ、コピージョブ及びファックスジョブなどのジョブを実行させる動作部４２と、サーバ装置３との通信を可能とするイーサネット（登録商標）インターフェースなどの通信部４３と、表示部４４と操作部４５が一体とされたタッチパネルディスプレイ２２と、ハードディスクドライブ（ＨＤＤ）などで構成される記憶部４６と、を備える。
【００１７】
制御部４１は、ＣＰＵ（マイクロプロセッサなどの中央演算装置）やＣＰＵの作業領域とされるＲＡＭ（ランダムアクセスメモリ）などを含んで構成される。記憶部４６は、制御部４１のＣＰＵの動作に必要なプログラムを記憶している。このプログラムは、ＣＤ−ＲＯＭ等の記憶媒体に記憶させることができる。
【００１８】
図３は、複合機２の機能構成例を表すブロック図である。複合機２の制御部４１は、機能的に、認証部５１と、実行制御部５２と、ログ生成部５３と、変換部５４と、受付部５５と、加工部５６と、保存部５７とを有する。これらの構成要素は、制御部４１に含まれるＣＰＵのソフトウェア的な動作によって実現する。
【００１９】
認証部５１は、複合機２を使用するユーザを認証する。この認証部５１は、例えば、予め登録されているユーザのＩＤとパスワードを、ユーザにタッチパネルディスプレイ２２から入力させることによって、ユーザを認証する。または、ユーザが所持するＩＣカードや携帯機器に内蔵された非接触式のＩＣチップに記録されている、ユーザを識別するためのチップ情報を、ＩＣカードリーダ（図示せず）が読み出すことによって、ユーザを認証する。
【００２０】
実行制御部５２は、動作部４２を制御して、プリントジョブ、コピージョブ及びファックスジョブなどのジョブを実行させる。
【００２１】
この実行制御部５２は、ジョブの命令（ジョブパラメータ）をユーザに入力させるための画面をタッチパネルディスプレイ２２へ表示し、ジョブパラメータの入力を受付ける。そして、タッチパネルディスプレイ２２からジョブパラメータが入力されると、その内容に基づいて動作部４２を制御する。また、実行制御部５２は、タッチパネルディスプレイ２２から入力されたジョブパラメータの内容と、認証部５１から入力されたユーザの認証情報と、をログ生成部５３へ出力する。
【００２２】
また、実行制御部５２は、プリントジョブ、コピージョブ及びファックスジョブなどのジョブのジョブパラメータが入力された場合に、ジョブに用いる画像データを取得する。例えば、プリントジョブであれば、ネットワークに接続された他の機器や、メモリカードなどの可搬性のある記憶媒体などの外部から画像データを取得する。また、コピージョブやファックスジョブであれば、自身が有するスキャナに原稿を読取らせて画像データを取得する。また、実行制御部５２は、取得した画像データを変換部５４へ出力する。
【００２３】
ログ生成部（ジョブログ生成部）５３は、実行制御部５２から入力されたジョブパラメータの内容やユーザの認証情報などに基づいてジョブログを生成し、このジョブログを保存部５７へ出力する。このジョブログは、後述する画像ログとともに保存される。
【００２４】
ここで、ジョブログは、ユーザの認証情報、ジョブ実行時の日付と時刻、複合機２のデバイス名、複合機２のネットワーク上の位置を特定するＩＰアドレス、及び処理する画像データのページ数などを含んでいる。また、ネットワークに接続された他の機器から画像データを取得した場合には、その機器のホスト名や画像データのファイル名なども含む。
【００２５】
変換部（画像ログ生成部）５４は、実行制御部５２が取得した画像データを保存用のフォーマットに変換して画像ログを得る。ここで、保存用のフォーマットとは、画像データのサイズおよびデータ量を圧縮するものであり、例えば、ＰＤＦ（Portable Document Format）やＪＰＥＧ（Joint Photographic Experts Group）などの形式がある。また、ジョブに供される画像データは、プリンタ等の出力やファクシミリの出力など、それぞれの出力に特化したフォーマットを有しているが、変換部５４は、どのフォーマットの画像データに対しても同じ保存用のフォーマットを適用して画像ログを得る。
【００２６】
受付部５５は、変換部５４が生成した画像ログをタッチパネルディスプレイ２２へ表示し、画像ログにより表される画像の中での不可視とする領域の設定をユーザから受付ける。そして、受付部５５は、タッチパネルディスプレイ２２において不可視とする領域が設定されると、設定された不可視とする領域の情報（領域情報）を加工部５６へ出力する。また、受付部５５は、領域情報が確定したら、実行制御部５２にジョブの実行を開始させる。ここで、領域情報は、不可視とする領域を座標によって特定している。
【００２７】
加工部５６は、受付部５５が取得した領域情報に基づいて、この領域情報により特定される領域を不可視とする加工を画像ログに対して施す。この加工部５６は、例えば、画像ログの該当する領域にモザイクや墨入れを施したり、該当する領域を消去するものとすることができる。また、加工を不可逆なものとするため、画像ログの該当する領域のデータ量を低減もしくは削除するようにすることができる。
【００２８】
保存部５７は、加工部５６により加工された画像ログと、ログ生成部５３が生成したジョブログとを関連付けて、これらのログをサーバ装置３へ送信して保存させる。また、保存部５７は、これらのログを複合機２が有する記憶部４６へ記憶しても良い。
【００２９】
図４は、複合機２の動作例を表すフローチャートである。
【００３０】
まず、認証部５１は、複合機２を使用するユーザを認証する（Ｓ１１）。この認証部５１は、認証したユーザ情報を実行制御部５２へ出力する。実行制御部５２は、これを受けて、プリントジョブ、コピージョブ及びファックスジョブなどのジョブを動作部４２に実行させるための、以下に説明する動作を開始する。なお、実行制御部５２は、ユーザの認証が行われなくても動作を開始することができるが、この場合、後述するように画像ログの加工が禁止される。
【００３１】
次に、実行制御部５２は、ジョブパラメータをユーザに入力させるための画面をタッチパネルディスプレイ２２へ表示し、ジョブパラメータの入力を受付ける（Ｓ１２）。そして、実行制御部５２は、タッチパネルディスプレイ２２からジョブパラメータが入力されると、そのジョブパラメータの内容と、認証部５１から入力されたユーザの認証情報と、をログ生成部５３へ出力し、ログ生成部５３はこれらに基づいてジョブログを生成する（Ｓ１３）。
【００３２】
次に、実行制御部５２は、ジョブに用いる画像データを、ネットワークに接続された他の機器や、自身が有するスキャナなどによって取得する（Ｓ１４）。そして、変換部５４は、実行制御部５２が取得した画像データを保存用のフォーマットに変換して画像ログを得る（Ｓ１５）。
【００３３】
次に、受付部５５は、認証部５１によってユーザの認証が為されている場合には（Ｓ１６：ＹＥＳ）、変換部５４が生成した画像ログをタッチパネルディスプレイ２２へ表示し、画像ログが表す画像の中で不可視とする領域の設定をユーザから受付ける（Ｓ１７）。
【００３４】
図５に、この際のタッチパネルディスプレイ２２への表示例を示す。タッチパネルディスプレイ２２には、画像ログにより表される画像が表示されるとともに、不可視とする領域の設定を促すメッセージが表示される。そして、ユーザがタッチパネルディスプレイ２２に表された画像ログの画像上で不可視とする領域を指定すると、領域情報が受付部５５へ入力される。タッチパネルディスプレイ２２での不可視とする領域の指定は、例えば、矩形状の領域の対角線の始点と終点の座標を特定するなど、画面上で座標を特定することによって行われる。これにより、領域情報は、不可視とする領域の座標の情報を含んで生成される。
【００３５】
ここで、画像ログには、例えば個人名や電話番号、住所などの個人情報が含まれていることがあり、ユーザは、タッチパネルディスプレイ２２に表された画像ログの画像上で、このような個人情報を含んだ部分を不可視とする領域として指定することができる。
【００３６】
次に、受付部５５は、設定された領域情報において不可視とする領域が所定以上となっていないかどうかを判断する（Ｓ１８）。所定以上であるか否かは、例えば、設定された領域が所定の面積を超えているか否かによって判断する。これは、画像ログにおいて必要以上の領域が不可視とされて、保存される画像ログの具体的な内容まで読み取れなくなってしまうことを防ぐためである。また、これに限らず、所定以上であるか否かは、例えば、文書の内容が表されていることが多い画像ログの中央部分などの所定部分に重み付けを加えて判断するようにしても良い。
【００３７】
この受付部５５は、設定された領域情報において不可視とする領域が所定以上となっていれば（Ｓ１８：ＹＥＳ）、タッチパネルディスプレイ２２にメッセージを表示して、再度の設定を行うようユーザに促す（Ｓ２３）。そして、ユーザが再度の設定を行う場合は（Ｓ２３：ＹＥＳ）、受付部５５は、再び不可視とする領域の設定をユーザから受付ける（Ｓ１７）。この動作は、不可視とする領域が所定未満となるまで続けられる。また、ユーザが再度の設定を行うことを拒否した場合や、メッセージが表示されて所定時間が経過した場合には（Ｓ２３：ＮＯ）、受付部５５は、画像ログを削除して（Ｓ２４）、ジョブを中止する。これは、画像ログにおいて必要以上の領域が不可視とされて、保存される画像ログの具体的な内容まで読み取れなくなってしまうことを防ぐためである。
【００３８】
そして、受付部５５は、設定された領域情報において不可視とする領域が所定未満であれば（Ｓ１８：ＮＯ）、領域情報を加工部５６へ出力する。そして、加工部５６は、画像ログの中で領域情報により特定される領域に相当する部分に対し、不可視とする加工を施す（Ｓ１９）。図６は、画像ログのうち、領域情報が特定する領域に相当する部分に墨入れを施した場合の例について示している。
【００３９】
また、受付部５５は、領域情報が確定したら、実行制御部５２にジョブの実行を開始させる（Ｓ２０）。実行制御部５２は、上述したようにタッチパネルディスプレイ２２から入力されたジョブパラメータに基づいて、動作部４２を制御し、プリントジョブ、コピージョブ及びファックスジョブなどのジョブを実行させる。ここで、領域情報が確定した後にジョブを実行させるのは、ジョブの実行後に、必要以上の領域が不可視とされたり、加工自体を取り止められてしまうことを防ぐためである。
【００４０】
保存部５７は、加工部５６により加工された画像ログと、ログ生成部５３が生成したジョブログとを関連付け、これらのログをサーバ装置３へ送信して保存させる（Ｓ２１）。また、保存部５７は、これらのログを複合機２が有する記憶部４６へ記憶しても良い。
【００４１】
なお、認証部５１によってユーザの認証が為されていない場合には（Ｓ１６：ＮＯ）、受付部５５は、画像ログに対して不可視とする加工を施すことを許可しない。具体的には、受付部５５は、不可視とする加工を施さずに画像ログを保存する旨のメッセージをタッチパネルディスプレイ２２に表示する（Ｓ２２）。そして、受付部５５は、ユーザからそれを承諾する旨の入力が為された場合には（Ｓ２２：ＹＥＳ）、実行制御部５２にジョブの実行を開始させ（Ｓ２０）、保存部５７は、不可視とする加工が施されていない画像ログを保存する（Ｓ２１）。他方、受付部５５は、ユーザからそれを承諾する旨の入力が為されない場合には（Ｓ２２：ＮＯ）、画像ログを削除して（Ｓ２４）、ジョブを中止する。これは、認証情報のないユーザに不可視とする加工を認めると、画像ログからユーザを特定する情報を消された場合に、ジョブがどのユーザの指示によって行われたかということが特定できなくなってしまう虞があるからである。
【図面の簡単な説明】
【００４２】
【図１】画像処理装置を含んだ画像ログ保存システムの構成例を表す図である。
【図２】画像処理装置の構成例を表すブロック図である。
【図３】画像処理装置の機能構成例を表すブロック図である。
【図４】画像処理装置の動作例を表すフローチャートである。
【図５】画像処理装置の表示部への表示例を表す図である。
【図６】画像処理装置の動作の内容を表す説明図である。
【符号の説明】
【００４３】
１  画像ログ保存システム、２  複合機、２１  本体部、２２  タッチパネルディスプレイ、３  サーバ装置、４１  制御部、４２  動作部、４３  通信部、４４  表示部、４５  操作部、４６  記憶部、５１  認証部、５２  実行制御部、５３  ログ生成部、５４  変換部、５５  受付部、５６  加工部、５７  保存部。
【図１】
2008118234.tif 000003
【図２】
2008118234.tif 000004
【図３】
2008118234.tif 000005
【図４】
2008118234.tif 000006
【図５】
2008118234.tif 000007
【図６】
2008118234.tif 000008